(57)【要約】【課題】録画されている番組を削除する際に、削除しても問題がない番組かを判定してから削除することが可能な番組録画再生装置を提供すること。【解決手段】録画したＴＶ番組を記憶するＴＶ番組記憶手段と、前記録画したＴＶ番組の削除基準を記憶する削除基準記憶手段と、前記記憶手段に記憶されている番組のうち削除対象となる削除候補番組を選定する削除候補選定手段と、前記削除候補番組が、前記削除基準を満たすかいなかを判定する削除基準判定手段と、前記削除基準判定手段により、削除基準を満たさないと判定された場合、前記削除候補番組を削除せず、削除可能なＴＶ番組を前記ＴＶ番組記憶手段から検索し削除可能なＴＶ番組を決定する削除番組決定手段とを有することを特徴とする。【選択図】図１
2014103471.tif 000002
【特許請求の範囲】
【請求項１】
ＴＶ番組の録画および削除が可能な番組録画再生システムであって、
録画したＴＶ番組を記憶するＴＶ番組記憶手段と、
前記録画したＴＶ番組の削除基準を記憶する削除基準記憶手段と、
前記記憶手段に記憶されている番組のうち削除対象となる削除候補番組を選定する削除候補選定手段と、
前記削除候補番組が、前記削除基準を満たすかいなかを判定する削除基準判定手段と、
前記削除基準判定手段により、削除基準を満たさないと判定された場合、前記削除候補番組を削除せず、削除可能なＴＶ番組を前記ＴＶ番組記憶手段から検索し削除可能なＴＶ番組を決定する削除番組決定手段と
を有することを特徴とする番組録画再生システム。
【請求項２】
前記決定された削除可能なＴＶ番組をＴＶ番組記憶手段から削除する番組削除手段を有することを特徴とする請求項１記載の番組録画再生システム。
【請求項３】
前記削除候補番組が再生されたかを判定して、既に再生された番組には、前記基準判定手段による処理を行わないことを特徴とする請求項１または２記載の番組録画再生システム。
【請求項４】
番組の視聴率情報を取得する視聴率情報取得手段を更に有し、
前記基準判定手段は、前記削除基準に設定された前記ＴＶ番組の視聴率と、前記視聴率情報取得手段により取得した視聴率と、を比較することにより基準を満たすか否かを判定することを特徴とする請求項１乃至３のいずれか１項に記載の番組録画再生システム。
【請求項５】
視聴状況を取得したいユーザを登録する特定ユーザ設定手段を更に有し、
前記基準判定手段は、前記削除基準に設定された前記ＴＶ番組の前記特定ユーザによる視聴状況と、前記視聴率情報取得手段により取得した前記特定ユーザによる視聴状況と、を比較することにより基準を満たすか否かを判定することを特徴とする請求項４に記載の番組録画再生システム。
【請求項６】
ＴＶ番組の録画および削除が可能な番組録画再生装置であって、
録画したＴＶ番組を記憶するＴＶ番組記憶手段と、
前記録画したＴＶ番組の削除基準を記憶する削除基準記憶手段と、
前記記憶手段に記憶されている番組のうち削除対象となる削除候補番組を選定する削除候補選定手段と、
前記削除候補番組が、前記削除基準を満たすかいなかを判定する削除基準判定手段と、
前記削除基準判定手段により、削除基準を満たさないと判定された場合、前記削除候補番組を削除せず、削除可能なＴＶ番組を前記ＴＶ番組記憶手段から検索し削除可能なＴＶ番組を決定する削除番組決定手段と
を有することを特徴とする番組録画再生装置。
【請求項７】
ＴＶ番組の録画および削除が可能で、前記録画したＴＶ番組を記憶するＴＶ番組記憶手段と、前記録画したＴＶ番組の削除基準を記憶する削除基準記憶手段とを有する番組録画再生装置の制御方法であって、
前記記憶手段に記憶されている番組のうち削除対象となる削除候補番組を選定する削除候補選定ステップと、
前記削除候補番組が、前記削除基準を満たすかいなかを判定する削除基準判定ステップと、
前記削除基準判定ステップにより、削除基準を満たさないと判定された場合、前記削除候補番組を削除せず、削除可能なＴＶ番組を前記ＴＶ番組記憶手段から検索し削除可能なＴＶ番組を決定する削除番組決定ステップと
を有することを特徴とする番組録画再生装置の制御方法。
【請求項８】
ＴＶ番組の録画および削除が可能で、前記録画したＴＶ番組を記憶するＴＶ番組記憶手段と、前記録画したＴＶ番組の削除基準を記憶する削除基準記憶手段とを有する番組録画再生装置を、
前記録画したＴＶ番組の削除基準を記憶する削除基準記憶手段と、
前記記憶手段に記憶されている番組のうち削除対象となる削除候補番組を選定する削除候補選定手段と、
前記削除候補番組が、前記削除基準を満たすかいなかを判定する削除基準判定手段と、
前記削除基準判定手段により、削除基準を満たさないと判定された場合、前記削除候補番組を削除せず、削除可能なＴＶ番組を前記ＴＶ番組記憶手段から検索し削除可能なＴＶ番組を決定する削除番組決定手段と
を有することを特徴とする番組録画再生装置として機能させるためのプログラム。
【発明の詳細な説明】
【技術分野】
【０００１】
本発明は、テレビ放送される番組を録画、管理する技術に関する。
【背景技術】
【０００２】
近年、テレビジョン（ＴＶ）放送をＨＤＤなどの大容量記憶媒体など録画することが行われている。記憶媒体の大容量化に伴い多くの番組を録画することができるようになっている。
【０００３】
また、ＴＶチューナーを複数搭載することにより、受信可能な全ての番組を所定期間（例えば１週間）分録画するような仕組みも提案されている。
【０００４】
これに関連して、特許文献１では、友人やサークル等のメンバー同士が簡単な操作で共通の放送番組を自動的に録画することができる番組録画再生装置が提案されている。
【０００５】
特許文献２では、視聴者嗜好にあった情報が自動的に蓄積され、視聴者が好きな時にそれをみることができるデータ放送システムが提案されている。
【先行技術文献】
【特許文献】
【０００６】
【特許文献１】特開２００６−２９５５７２号公報
【特許文献２】特開平１１−１９６３８９号公報
【発明の概要】
【発明が解決しようとする課題】
【０００７】
しかしながら、特許文献１および２の技術では、メンバー同士で共通の放送番組や視聴者嗜好にあった情報を自動的に録画する方法が提案されているだけである。いくら記憶媒体が大容量になったとしても、容量不足は必ず発生するものであり、録画する番組は削除が必要である。現状のシステムとして、番組を削除する場合、一番古いものを削除するようになっている。また、削除されたくない番組にロックをかけ、自動で削除されないようにする場合もある。また、この方式では、まだ視聴していな番組を削除してしまう可能性もある。また、他人が多く視聴しているなど話題性のある番組が削除され、見逃してしまう可能性もある。
【０００８】
そこで、本発明では、録画されている番組を削除する際に、削除しても問題がない番組かを判定してから削除することが可能な番組録画再生装置を提供することを目的とする。
【課題を解決するための手段】
【０００９】
録画したＴＶ番組を記憶するＴＶ番組記憶手段と、前記録画したＴＶ番組の削除基準を記憶する削除基準記憶手段と、前記記憶手段に記憶されている番組のうち削除対象となる削除候補番組を選定する削除候補選定手段と、前記削除候補番組が、前記削除基準を満たすかいなかを判定する削除基準判定手段と、前記削除基準判定手段により、削除基準を満たさないと判定された場合、前記削除候補番組を削除せず、削除可能なＴＶ番組を前記ＴＶ番組記憶手段から検索し削除可能なＴＶ番組を決定する削除番組決定手段とを有することを特徴とする。
【発明の効果】
【００１０】
本発明によれば、録画されている番組を削除する際に、削除しても問題がない番組かを判定してから削除することが可能な番組録画再生装置を提供することができる。
【図面の簡単な説明】
【００１１】
【図１】本発明の実施形態に係わる番組録画再生システムのシステム構成の一例示す図である。
【図２】本発明の実施形態に係わる番組録画再生装置システムの番組録画再生装置のハードウェア構成の一例を示すブロック図である。
【図３】本発明の実施形態に係わる番組録画再生システムの番組削除に関する設定画面の一例を示す図である。
【図４】本発明の実施形態に係わる番組録画再生システムの番組削除に関する詳細設定画面の一例を示す図である。
【図５】本発明の実施形態に係わる番組録画再生システムの録画番組の一例を示すである。
【図６】本発明の実施形態に係わる番組録画再生システムのメッセージ画面の一例を示す図である。
【図７】本発明の実施形態に係わる番組録画再生システムの全体処理の一例を示すフローチャートである。
【図８】本発明の実施形態に係わる番組録画再生システムの削除基準判定処理の一例を示すフローチャートである。
【図９】本発明の実施形態に係わる番組録画再生システムのシステム構成の一例を示す図である。
【発明を実施するための形態】
【００１２】
以下、本発明の実施の形態を、図面を参照して詳細に説明する。
【００１３】
図１は、本発明の実施形態に係わる番組録画再生システムのシステム構成の一例示す図である。
【００１４】
本ステムの利用者であるユーザが使用する録画再生装置１００（録画機能付きＴＶや録画装置）、ＴＶ番組を放送する放送局１０１、ユーザの指定する特定ユーザの利用する録画再生装置１０２、一般利用者（ユーザにより特に指定されていない）の利用する録画再生装置１０３、各ユーザの視聴状況を管理する視聴管理サーバとから構成されている。
【００１５】
放送局１０１から発せられる電波（例えば地上デジタル放送や衛星放送）を録画再生装置が受信して、ＴＶ番組を録画する。録画再生装置を利用するユーザの視聴状況は視聴管理サーバ１０４によって管理される。視聴状況とは、例えば一般ユーザによるＴＶ番組に視聴率（平均資料率や瞬間最高視聴率記憶可能）や、ユーザの友人やフォローするユーザの視聴状態をいう。
【００１６】
録画再生装置と視聴管理サーバ１０４は、ネットワークを介して接続されるようにしてもよいし、サーバの管理者が入手した情報を入力するようにしてもよい。
【００１７】
本システムでは、ユーザの利用する録画再生装置１００に録画されたＴＶ番組を削除する際に、その削除しようとするＴＶ番組を削除してよいかの判定をし、削除できないと判定されると別の削除可能なＴＶ番組を探すようになっている。
【００１８】
削除する際とは、例えば、ハードディスクなどの記憶媒体の容量が一杯になり、自動削除対象となった一番古い録画番組などである。また、ユーザが手動で削除しようとした時の確認画面などに表示するためにも利用することができる。
【００１９】
削除してもよいかの判定は、視聴済みの番組に対しては行わず未視聴の番組に対してだけ行うように構成することもできる。
【００２０】
削除してよいかの基準は、ユーザが予め設定可能になっており、番組の視聴率が高いものや特定のユーザが視聴したものを削除しないような設定をすることができる。また、ユーザの嗜好を登録しておき、（例えば好きなジャンルや好きなタレントなど）嗜好レベルが一定以上のものは削除しないような設定をすることができる。
【００２１】
視聴率や所定のユーザの視聴状況や嗜好レベルなどは、録画再生装置１００に記憶するようにしてもよいし、視聴管理サーバ１０４に記憶されるようにしてもよい。視聴管理サーバ１０４は、自宅に設置してもよいし、外部のサービスとして提供を受けるようにしてもよい。
【００２２】
図２は、本発明の実施形態における視聴管理サーバ１０４のハードウェア構成を示す図である。
【００２３】
図２において、ＣＰＵ２０１は、システムバス２０４に接続される各デバイスを統括的に制御する。また、ＲＯＭ２０３あるいは外部メモリ２１１には、ＣＰＵ２０１の制御プログラムであるオペレーティングシステム（ＯＳ）や、各サーバあるいは各クライアントの後述する各種機能を実現するためのプログラムが記憶されている。
【００２４】
ＲＡＭ２０２は、ＣＰＵ２０１の主メモリ、ワークエリア、一時待避領域等として機能する。
【００２５】
入力コントローラ２０５は、入力部２０９からの入力を制御する。この入力部２０９としては、特に、サーバやクライアント等の端末では、キーボード、マウス等のポインティングデバイスが挙げられる。
【００２６】
外部メモリコントローラ２０７は、ブートプログラム、各種のアプリケーション、フォントデータ、ユーザファイル、編集ファイル、プリンタドライバ等を記憶する外部メモリ２１１へのアクセスを制御する。加えて、各サーバあるいは各クライアントの各種機能を実現するための各種テーブル、パラメータが記憶されている。この外部メモリ２１１としては、ハードディスク（ＨＤ）やフロッピー（登録商標）ディスク（ＦＤ）、ＰＣＭＣＩＡカードスロットにアダプタを介して接続されるコンパクトフラッシュ（登録商標）、スマートメディア等が挙げられる。
【００２７】
通信Ｉ／Ｆコントローラ２０８は、ネットワーク２１３を介して外部機器との通信制御処理を実行する。
【００２８】
本発明を実現するためのプログラム２１２は外部メモリ２１１に記録されており、必要に応じてＲＡＭ２０２にロードされることによりＣＰＵ２０１によって実行されるものである。
【００２９】
図９は、本発明の実施形態に係わる番組録画再生システムのシステム構成の一例を示す図である。
【００３０】
番組録画再生システム９００は、番組録画再生装置１００と視聴管理サーバ１０４とから構成される。
【００３１】
番組録画再生装置１００は、録画した番組を記憶する録画番組記憶部９０１、録画した番組の削除に関する基準が設定されて削除基準記憶部９０２、録画番組を削除してよいかの判定を削除基準に基づいて判定する削除基準判定部９０３、および削除基準の１つである嗜好に関する状況を記憶する嗜好状況記憶部とから構成されている。
【００３２】
視聴管理サーバ１０４は、削除基準の１つである、一般ユーザ視聴状況記憶部９１１および特定ユーザ視聴状況記憶部９１２を有している。一般ユーザ視聴状況、例えば、全ユーザの平均的な番組の視聴率であり、特定ユーザ視聴状況は、ユーザが指定した特定ユーザの視聴状況を示すものである。
【００３３】
なお、視聴管理サーバ１０４の有する記憶部を版組録画再生装置が有するように構成することが可能である。また、他の機能に関しても、番組録画再生装置、視聴管理サーバのどちらが有しても番組録画再生システムとして動作することが可能となっている。
【００３４】
図３は、本発明の実施形態に係わる番組録画再生システムの番組削除に関する設定画面の一例を示す図である。
【００３５】
番組削除設定３１０は、本システムの設定プログラムを起動することで、番組録画再生装置の画面に表示される。パソコンやタブレット端末などからネットワークを介して番組録画再生装置に接続することで、パソコンやタブレット端末などの表示画面に表示されることも可能である。
【００３６】
画面には、視聴レベル設定３１１、特定ユーザ視聴レベル３１２、嗜好レベル設定３１３、および詳細設定３１４を選択可能となっている。
【００３７】
視聴レベル設定３１１が選択されると、全ユーザ（一般ユーザ）の視聴率による基準である、視聴レベル設定３２０が表示される。ここでは、レベル１〜レベル５までを選択バー３２１により選択することができる。例えばレベル４を選択すると、「全ユーザの３０％〜４０％が視聴済」の場合は、削除しないということになる。全ユーザの％とは、例えば調査会社などから公開される視聴率を利用可能である。
【００３８】
特定ユーザ視聴レベル設定３１２が選択されると、ユーザが指定した特定ユーザの視聴状況による基準である、特定ユーザ視聴レベル設定３３０が表示される。ここでは、レベル１〜レベル５までを選択バー３３１により選択することができる。例えばレベル４を選択すると、「登録済のユーザの３０％〜４０％が視聴済」の場合は、削除しないということになる。また、登録済ユーザが１人しかいない場合は、視聴したか、していなか、を選択する画面が表示される。登録済ユーザの数により％の区切りが変更される。特定ユーザの登録方法については図４にて説明する。
【００３９】
嗜好レベル設定３１４が選択されると、ユーザの嗜好に合った基準である嗜好レベル設定３４０が表示される。嗜好レベルはポイントで表されるようになっており、選択バー３４１で選択するようになっている。嗜好レベルの登録方法については、図４にて説明する。
【００４０】
また、各設定画面（３２０〜３４０）で不図示のＯＫボタンを押下することで設定が保存され番組削除設定３１０に戻り、キャンセルボタンを押下することで設定を保存せずに番組削除設定３１０に戻る。
【００４１】
詳細設定３１４が選択されると、特定ユーザ視聴レベル設定および嗜好レベル設定の詳細設定画面が表示される。ここで設定された内容が、番組削除基準として記憶される。
【００４２】
図４は、本発明の実施形態に係わる番組録画再生システムの番組削除に関する詳細設定画面の一例を示す図である。
【００４３】
詳細設定４００は、図３の詳細設定３１４が選択されることで表示される画面である。メニューには特定ユーザ登録４０１、嗜好登録４０２、および登録削除４０３が表示される。設定内容は、直接入力するようにしてもよいし、プルダウンメニューのように選択可能に表示されてもよい。
【００４４】
特定ユーザ登録４０１が選択されると、新規登録４１０が表示される。ここでは、特定ユーザとして、そのユーザの視聴状況を番組の削除基準に利用したいユーザを登録する。特定ユーザの名前、特定ユーザの利用する番組録画再生装置のアドレス、アイコンを設定する。アドレスは、図に示すように「ａａａ．Ｄｏｔｎｅｔ」のようなホスト名形式で設定してもよいし、ＩＰアドレスを設定してもよい。アイコンは、特定ユーザに関する登録であることが視覚的にわかるような記号を設定する。
【００４５】
嗜好登録４０２が選択されると、嗜好レベル登録４２０が表示される。ここでは、番組の削除基準に利用する嗜好に関する登録を行う。番組のジャンル、出演者、アイコンが設定可能である。ジャンルは、ドラマ、スポーツ、バラエティなどが設定可能であり、出演者には、その番組に出演する役者や選手を設定する。
【００４６】
ここでは、例えば設定した出演者が全て出演してれば「レベル３」、１人出演していれば「レベル２」、１人も出演していなければ「レベル１」と設定する。なお、レベルの設定に関してはさまざまな決め方を採用することができる。また、ジャンルや出演者は、ＥＰＧ電子番組などから取得することができる。
【００４７】
登録削除４０３が選択されると、登録削除４３０が表示される。この画面では、登録された情報を削除することができる。基準の種類を示すアイコンや設定した内容が表示されており、チェックして削除ボタンを押下することで登録が削除される。
【００４８】
図５は、本発明の実施形態に係わる番組録画再生システムの録画番組の一例を示すである。
【００４９】
本システムから録画番組一覧選択５０１が起動されると、「全て」「視聴レベル」「特定ユーザ」「嗜好レベル」が選択可能なようになっている。ここで選択された項目が録画一覧に表示される。
【００５０】
録画番組一覧（全て）５１０は、選択画面で「全て」が選択された場合に表示される画面である。
【００５１】
番組ＩＤ５１１、録画番組５１２、レベル５１３が表示される。番組ＩＤは番組に付与された一意な番号で既に削除された番組は欠番になっている。
【００５２】
録画番組５１２には、録画した番組に関する情報が記載されている。レベル５１３には、対応する番組に対するレベルが表示される。
【００５３】
例えば、番組ＩＤ「１０１」の「番組Ａ」は、視聴レベル７０％、特定ユーザレベル１０％、嗜好レベル３となっている。図３で設定した内容（順にレベル４、レベル４、レベル２）で設定されていたとすると、「番組Ａ」は、視聴レベル（レベル４：７０％）によれば削除対象とならず、特定ユーザ（レベル４：１０％）によれば削除対象となり、嗜好レベル（２：３）によれば削除対象とならない。
【００５４】
このように、同じ番組であっても番組削除の判定基準の設定により、削除対象となったりならなかったりするようにすることができる。
【００５５】
図６は、本発明の実施形態に係わる番組録画再生システムのメッセージ画面の一例を示す図である。
【００５６】
本システムによりＴＶ番組が削除された時に表示される。番組削除設定ボタンが押下されると、図３に示す番組削除画面が表示される。また、本画面で、削除した番組名、削除判定に使用した基準を表示するようにしてもよい。
【００５７】
図７は、本発明の実施形態に係わる番組録画再生システムの全体処理の一例を示すフローチャートである。
【００５８】
録画番組を削除する際に開始される。ステップステップＳ７０１では、手動またはシステムにより番組の削除が開始されたかどうかを判定する。手動の場合はユーザによる削除指示であり、システムによる削除とは、例えば容量不足が発生した時に所定の設定、例えば一番古いものを削除する設定などに従う。
【００５９】
ステップＳ７０２では、削除候補を選定する。削除候補とは、ユーザにより指定されたものかシステムにより選定されたものである。
【００６０】
ステップＳ７０３では、選定された番組が視聴済であるか否かの判定を行う。判定には、録画番組に設定された視聴フラグなどを利用する。視聴済であれば、削除候補番組を削除対象番組とし、ステップＳ７０５に進み、未視聴であればステップＳ７０４に進み、削除基準判定処理を行う。詳細は図８で説明するが、選定された番組を削除してもよいかどうかの判定をする処理である。また、この処理は、オプションによりスキップすることも可能である。
【００６１】
ステップＳ７０５で削除対象番組の削除を行い、処理を終了する。なお、番組の削除を行った際には、図６に示すメッセージが表示される。
【００６２】
図８は、本発明の実施形態に係わる番組録画再生システムの削除基準判定処理の一例を示すフローチャートである。
【００６３】
図７の削除基準判定処理に対応する。ステップＳ８０１で、図３による番組削除設定がなされているかを判定する。設定がなされていなかった場合、処理を終了する。設定がなされていた場合は、ステップＳ８０２に進み、基準を判定する。
【００６４】
基準が「視聴率」であった場合は、ステップＳ８０３で、図３の３２１で設定された視聴レベルを参照する。基準が「特定ユーザ」であった場合は、ステップＳ８０４で、図３の３３１で設定された特定ユーザ視聴レベルを参照する。基準が「嗜好レベル」であった場合は、ステップＳ８０５で、図３の３４１で設定された嗜好レベルを参照する。
【００６５】
ステップＳ８０６では、選定されている削除候補番組のレベルと設定された基準を比較し、削除可能か否かを判定する。削除候補番組のレベルが設定された基準より低い場合に削除可能と判定し、ステップＳ８０７でステータスを削除候補から削除対象に変更し処理を終了する。
【００６６】
一方、ステップＳ８０６で削除可能な番組ではないと判定された場合、当該番組を削除対象とはせずに別の番組を削除候補として、図７のＳ７０２に進む。別の番組を削除候補にする場合、例えば、ユーザによる指定であれば、「この番組はレベル○○です。本当に削除しますか。別の番組を削除しますか」という趣旨のメッセージを表示し、ユーザに別の削除番組を選択させる。システムが自動で古い番組を削除するように設定されている場合は、次に古い番組を選定する。
【００６７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００６８】
また、本発明におけるプログラムは、実施例に示すフローチャートの処理方法をコンピュータが実行可能なプログラムであり、本発明の記憶媒体は実施例にしめるフローチャートの処理方法をコンピュータが実行可能なプログラムが記憶されている。なお、本発明におけるプログラムは実施例の各装置の処理方法ごとのプログラムであってもよい。
【００６９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００７０】
この場合、記録媒体から読み出されたプログラム自体が本発明の新規な機能を実現することになり、そのプログラムを記憶した記録媒体は本発明を構成することになる。
【００７１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００７２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
【００７５】
なお、上述した各実施形態およびその変形例を組み合わせた構成も全て本発明に含まれるものである。
【符号の説明】
【００７６】
１００  録画再生装置
１０１  放送局
１０２  録画再生装置
１０３  録画再生装置
１０４  視聴管理サーバ
【図１】
2014103471.tif 000003
【図２】
2014103471.tif 000004
【図３】
2014103471.tif 000005
【図４】
2014103471.tif 000006
【図５】
2014103471.tif 000007
【図６】
2014103471.tif 000008
【図７】
2014103471.tif 000009
【図８】
2014103471.tif 000010
【図９】
2014103471.tif 000011